(57)【要約】【課題】  移動体に設けられ、２つのチューナのＲＦ／復調部３、４によるダイバーシティ受信機能を有したデジタル放送受信装置において、移動体で地上デジタル放送受信を行う際に、移動とともに受信できる周波数チャンネルが変化した場合に即座に選局ができるようにする。【解決手段】  通常は、システム制御部１１からの制御によってダイバーシティ受信により移動体での安定した受信を行って番組再生をし、定期的に（例えば１５分おきに）、一方のＲＦ／復調部３で番組再生を行うとともに、他方のＲＦ／復調部４を使って受信可能な周波数チャンネルを１３ＣＨから６２ＣＨまで（地上デジタル放送の場合）シークを行い、このシークの結果を選局管理用データとしてメモリ１２に記憶しておき、受信エリアを移動した場合に前記メモリ１２内の選局管理用データを用いて復調を行う。【選択図】  図１
2005217681.tif 000002
【特許請求の範囲】
【請求項１】
移動体に設けられ、複数の受信手段によるダイバーシティ受信機能を有したデジタル放送受信装置において、
受信可能であるデジタル放送局についての選局に関する情報を取得する情報取得手段と、
前記選局に関する情報を記憶する記憶手段と
を備えたことを特徴とするデジタル放送受信装置。
【請求項２】
前記複数の受信手段によるダイバーシティ受信を行う第１の機能と、前記複数の受信手段のうち、一方の受信手段により再生を行うとともに、他方の受信手段から、前記情報取得手段によって選局に関する情報を取得する第２の機能とを切り替える機能切り換え手段を備えたことを特徴とする請求項１に記載のデジタル放送受信装置。
【請求項３】
前記情報取得手段は、受信可能であるデジタル放送局について、デジタル変調のパラメータを変化させながら復調を行った結果の情報を取得することを特徴とする請求項１に記載のデジタル放送受信装置。
【請求項４】
前記情報取得手段は、受信可能であるデジタル放送局について、デジタル変調のパラメータを変化させながら復調を行った結果の情報を取得することを特徴とする請求項２に記載のデジタル放送受信装置。
【請求項５】
受信局の切り換え時に、前記記憶手段に記憶されている、選択されたチャンネルの選局に関する情報に基づいて復調を行うことを特徴とする請求項１に記載のデジタル放送受信装置。
【請求項６】
受信局の切り換え時に、前記記憶手段に記憶されている、選択されたチャンネルの選局に関する情報に基づいて復調を行うことを特徴とする請求項２に記載のデジタル放送受信装置。
【請求項７】
受信局の切り換え時に、前記記憶手段に記憶されている、選択されたチャンネルの選局に関する情報に基づいて復調を行うことを特徴とする請求項３に記載のデジタル放送受信装置。
【請求項８】
受信局の切り換え時に、前記記憶手段に記憶されている、選択されたチャンネルの選局に関する情報に基づいて復調を行うことを特徴とする請求項４に記載のデジタル放送受信装置。
【発明の詳細な説明】
【技術分野】
【０００１】
この発明は、デジタル放送を移動体において受信するデジタル放送受信装置に関する。
【背景技術】
【０００２】
一般に移動体、例えば走行する車両に搭載される放送電波受信機においては、移動により受信状態が変化するため、複数のチューナを使用し、同一番組を放送している複数の局の電界強度を比較して電界強度の高い局を選択する、いわゆるダイバーシティ受信が行われている。
【０００３】
従来、衛星などのデジタル放送においては、移動しながらの受信は行っていなかった。また、衛星デジタル放送を固定受信機で受信する場合には、選局の設定を一度行ったら移動することはまずないので、選局情報を一度取得しておけば変更する必要はなかった。
【０００４】
尚、ダイバーシティ動作が行われる受信機としては、例えば下記特許文献１に記載のものが開示されている。
【特許文献１】特開平５−７５３９７号公報
【発明の開示】
【発明が解決しようとする課題】
【０００５】
ところで、移動体でデジタル放送を受信する場合、移動したことにより放送局のエリアを外れると、現在視聴していた周波数、又は前もってスキャニングし蓄積しておいた選局するためのデータは使用できなくなる。このため選局するためのデータを設定し直す時間が長くかかり、スムーズな選局ができなくなってしまう。
【０００６】
本発明は上記の点に鑑みてなされたものでその目的は、移動体で地上デジタル放送受信を行う際に、移動とともに受信できる周波数チャンネルが変化した場合に即座に選局可能としたデジタル放送受信装置を提供することにある。
【課題を解決するための手段】
【０００７】
本発明は、移動体に設けられ、複数の受信手段によるダイバーシティ受信機能を有したデジタル放送受信装置において、受信可能であるデジタル放送局についての選局に関する情報を取得する情報取得手段と、前記選局に関する情報を記憶する記憶手段とを備えたことを特徴としている。
【０００８】
また、前記複数の受信手段によるダイバーシティ受信を行う第１の機能と、前記複数の受信手段のうち、一方の受信手段により再生を行うとともに、他方の受信手段から、前記情報取得手段によって選局に関する情報を取得する第２の機能とを切り替える機能切り換え手段を備えたことを特徴としている。
【０００９】
また前記情報取得手段は、受信可能であるデジタル放送局について、デジタル変調のパラメータを変化させながら復調を行った結果の情報を取得することを特徴としている。
【００１０】
また受信局の切り換え時に、前記記憶手段に記憶されている、選択されたチャンネルの選局に関する情報に基づいて復調を行うことを特徴としている。
【発明の効果】
【００１１】
（１）請求項１〜８に記載の発明によれば、記憶手段には、受信可能である放送局についての選局に関する情報が記憶されているので、移動体が移動することによって受信エリアが変わった場合に、前記選局に関する情報を用いて即座に選局することができる。これによって受信エリアが変わった場合に選局が遅れてその遅延時間中に受信不能となることを避けることができる。
（２）請求項２、４、６、８に記載の発明によれば、複数の受信手段によりダイバーシティ受信を行うことと、一方の受信手段で再生を行いながら他方の受信手段で選局に関する情報を取得することを容易に切り換えることができる。
【発明を実施するための最良の形態】
【００１２】
以下、図面を参照しながら本発明の実施の形態を説明する。本実施形態例では、複数のチューナ（受信手段）を備え、通常はダイバーシティ受信により移動体での安定した受信を行って番組再生をし、定期的に（例えば１５分おきに）、一方のチューナで番組再生を行うとともに、他方のチューナを使って受信可能な周波数チャンネルを１３ＣＨから６２ＣＨまで（地上デジタル放送の場合）シークを行うように構成した。
【００１３】
そして、このシークの結果を選局管理用データとしてメモリ（記憶手段）に記憶しておき、受信エリアを移動した場合に前記メモリ内の選局管理用データを用いて復調を行うことによって、受信可能放送局を即座に選局できるようにした。
【００１４】
図１は本実施形態例におけるデジタル放送受信部のシステム構成を示しており、１、２は２つのチューナ用のアンテナである。３、４は２つのチューナのＲＦ／復調部であり、図示省略のＡＧＣ回路、検波器、ＰＬＬ回路、ミキサ等で構成されている。
【００１５】
５はＲＦ／復調部３、４を制御する復調制御部であり、ＲＦ／復調部３、４のデータを、多重化されたデータ列であるＭＰＥＧ２−ＴＳとしてＴＳ（トランスポートストリーム）デコード部６に出力する。
【００１６】
ＴＳデコード部６は入力されたトランスポートストリームをデコードし、音声信号、映像信号に分類する。
【００１７】
ＴＳデコード部６から出力された音声信号は音声デコード部７にてデコードされ、そのデコードされた音声信号は、図示省略の音声処理回路、音声信号回路を介してスピーカから出力される。
【００１８】
ＴＳデコード部６から出力された映像信号は映像デコード部８にてデコードされ、そのデコードされた映像信号はＯＳＤ（オンスクリーンディスプレイ）制御部９を介してディスプレイ１０に供給され映像出力される。
【００１９】
１１は受信部のシステム全体を制御するシステム制御部であり、ＴＳデコード部６の出力データを取り込むとともにＴＳデコード部６を制御し、またＯＳＤ制御部９を制御するとともにディスプレイ１０の状態を監視する。
【００２０】
システム制御部１１は、通常時は２つのチューナ（ＲＦ／復調部３、４）によるダイバーシティ受信動作を行うための制御を行う。またシステム制御部１１は、移動体での移動中（車、ＰＤＡ、携帯電話等）に、あるチャンネルをダイバーシティ受信している状態で、現在受信中のチャンネルのＣ／Ｎ、ＢＥＲ（ビットエラーレート）値等の受信パラメータが悪化した時、あるいは例えば５分間隔で、ダイバーシティ受信を停止し、一方のチューナは現チャンネルの受信を維持し、他方のチューナを用いて（地上波デジタル放送では）１３〜６２ＣＨを全局スキャンし、ＯＦＤＭ変調パラメータ（選局に関する情報：デジタル変調のパラメータ）を取得し、メモリ１２に蓄積する。
【００２１】
そしてシステム制御部１１は、ユーザーにより別チャンネルが選局されたときに、前記取得しておいたメモリ１２内のＯＦＤＭ変調パラメータを復調制御部５を介してＲＦ／復調部３又は４に設定し、該設定したパラメータで復調を実行する。
【００２２】
上記のようにシステム制御部１１は、受信可能であるデジタル放送局についての選局に関する情報を取得する情報取得手段として動作するとともに、２つのチューナによるダイバーシティ受信を行う第１の機能と、一方のチューナにより再生を行うとともに、他方のチューナから選局に関する情報を取得する第２の機能とを切り換える機能切り換え手段としても動作する。
【００２３】
前記メモリ１２に蓄積するパラメータとしては、例えば図２に示すように、チューニングの切り換え早さに一番関係が深いと思われる周波数、ガードインターバル（フェージング対策）、ＦＦＴ窓サイズ（復調時におけるシンボル間干渉の影響を少なくし、最大Ｃ／Ｎを得る）や、デジタル変調方式（６４ＱＡＭ：６４Ｑｕａｄｒａｔｕｒｅ  Ａｍｐｌｉｔｕｄｅ  Ｍｏｄｕｌａｔｉｏｎ、１６ＱＡＭ：１６Ｑｕａｄｒａｔｕｒｅ  Ａｍｐｌｉｔｕｄｅ  Ｍｏｄｕｌａｔｉｏｎ、ＱＰＳＫ：Ｑｕａｄｒａｔｕｒｅ  Ｐｈａｓｅ  Ｓｈｉｆｔ  Ｋｅｙｉｎｇ等）、チャンネル番号、モード、ビットレート、インターリーブ、セグメント数等である。
【００２４】
メモリ１２には、常に最新のデータを蓄えておくが、これに限らず、前のスキャンデータも取っておいて、あるチャンネルが休止になった場合や、地形などによって一定期間取れないようなところにおいても、復帰した時にできるだけ早く受信できるように前の情報を蓄積しておくようにしても良い。
【００２５】
次にシステム制御部１１が行う、選局管理用データ取得時の処理を図３とともに説明する。まずステップＳ１において２つのチューナでダイバーシティ受信により画音再生が行われているとする。次に定期的に、例えば５分間隔でステップＳ２のように、２つのチューナのうちいずれか一方、例えば電界強度の強い方のＲＦ／復調部３のデータ（ＭＰＥＧ２−ＴＳ）をＴＳデコード部６に流し、画音再生を行う。
【００２６】
そしてステップＳ３においてＣＨ６２までチェックしたか否かを判定し、ＮＯの場合はステップＳ４において、他方のＲＦ／復調部４にＣＨ１３から順次周波数を設定する。
【００２７】
次にステップＳ５においてＲＦ／復調部４でロックしたか否かを判定し、ＹＥＳの場合（その周波数で受信可能な状態となった場合）は、ステップＳ６において、他方のＲＦ／復調部４で、ＯＦＤＭ変調パラメータ、例えばＦＦＴ窓、ガードインターバルを変化させながら復調を行う。そしてステップＳ７において他方のＲＦ／復調部４の復調結果をメモリ１２に保存し、ステップＳ３へ戻る。
【００２８】
また前記ステップＳ５の判定結果がＮＯの場合、すなわち設定したチャンネル周波数は受信不能である場合もステップＳ３へ戻る。そしてＣＨ６２までチェックした場合はステップＳ１に戻る。
【００２９】
次に、選局の際に選局管理用データを使用するときの処理を図４とともに説明する。まずステップＳ１において、２つのチューナでダイバーシティ受信により画音再生が行われているとする。次にユーザーが別チャンネル（サービス）を選局したとすると、ステップＳ２において、メモリ１２から、選択されたチャンネル（サービス）の選局データ（ＦＦＴ窓、ガードインターバル等のパラメータ）を抽出する。
【００３０】
次にステップＳ３において、他方のＲＦ／復調部４に、前記選択されたチャンネル周波数を設定する。そして、ステップＳ４において他方のＲＦ／復調部４でロックしたか否かを判定し、ＹＥＳの場合はステップＳ５において、メモリ１２から取得したＦＦＴ窓、ガードインターバル等のデータをＲＦ／復調部４に設定し、復調を行う。
【００３１】
次にステップＳ６において復調が成功したか否かを判定し、ＹＥＳの場合はステップＳ７において、今回復調した周波数のデータをＴＳデコード部６に流しダイバーシティ受信により画音再生を行う。
【００３２】
またステップＳ４の判定結果がＮＯである場合（設定された周波数でロックしなかった場合）や、ステップＳ６の判定結果がＮＯである場合（復調できなかった場合）は、ステップＳ８においてユーザーに現在選局できないことを通知した後ステップＳ１に戻る。
【００３３】
尚、本発明は移動体に限らず、複数エリアの境界、例えば関東と東北の境界区域で固定的に受信を行う際に、気象条件等により受信が不安定な場合に適用しても有効である。
【図面の簡単な説明】
【００３４】
【図１】本発明の一実施形態例であるデジタル放送受信装置のシステム構成図。
【図２】本発明の記憶手段に蓄えるデータの一例を示す説明図。
【図３】本発明の一実施形態例における情報取得時の処理を示すフローチャート。
【図４】本発明の一実施形態例における情報使用時の処理を示すフローチャート。
【符号の説明】
【００３５】
１、２…アンテナ、３、４…ＲＦ／復調部、５…復調制御部、６…ＴＳデコード部、７…音声デコード部、８…映像デコード部、９…ＯＳＤ制御部、１０…ディスプレイ、１１…システム制御部、１２…メモリ。
【図１】
2005217681.tif 000003
【図２】
2005217681.tif 000004
【図３】
2005217681.tif 000005
【図４】
2005217681.tif 000006